(57)【要約】【課題】ジョガーフェンスを閉めるジョギング動作の動作ロス及び再給紙動作移行の時間ロスを無くしてＣＰＭを向上させ得る用紙搬送装置を提供する。【解決手段】再給紙クラッチＯＮにより、転写紙２の逆転コロ４と反転たたきコロ３とによる転写紙２の再給紙を開始する。ジョガーフェンス開閉は、規定幅より僅かな移動での開閉とする。再給紙動作タイミングは、再給紙切り替えセンサ９のＯＮとほぼ同時にジョガーフェンス８を閉め、閉めるとほぼ同時時間Ａ（ミリ秒）後に再給紙し、再給紙された転写紙２が反転両面排出ローラ５にくわえこまれる一定時間Ｂ（ミリ秒）後にジョガーフェンス８を開く。再給紙された転写紙２が反転両面排出ローラ５にくわえこまれる一定時間Ｂ（ミリ秒）後にジョガーフェンス８を開き、その後ジョガーフェンス８を一定時間Ｃ（ミリ秒）後に閉める。【選択図】図２
2007161457.tif 000002
【特許請求の範囲】
【請求項１】
用紙の幅方向に移動することにより、用紙の幅方向での位置決めを行う少なくとも一つの可動部材と、
前記可動部材よりも用紙搬送方向で上流側において用紙を検知する用紙検知部と、
前記用紙検知部の検知結果に基づき、前記可動部材を制御する制御部を備えたことを特徴とする用紙搬送装置。
【請求項２】
請求項１記載の用紙搬送装置において、前記制御部は、前記用紙検知部の検知結果が用紙無しから用紙有りに変化した場合、前記可動部材の移動を開始させることを特徴とする請求項１記載の用紙搬送装置。
【請求項３】
請求項１または２の用紙搬送装置であって、前記制御部は、前記可動部材が用紙の規定幅に対する幅方向の移動で用紙の位置を規制し、該用紙が前記用紙検知部位置を抜けた瞬間に再度用紙搬送動作に移行する動作を行わせることを特徴とする用紙搬送装置。
【請求項４】
請求項１または２の用紙搬送装置であって、前記制御部は、前記可動部材が用紙の規定幅に対する幅方向の移動で用紙の位置を規制し、該用紙が前記用紙検知部位置を抜けた瞬間に再度用紙搬送動作に移行する動作を行わせることを特徴とする用紙搬送装置。
【請求項５】
請求項１から４のいずれかの用紙搬送装置において、前記制御部は、用紙が前記用紙検知部位置を抜けた瞬間に前記可動部材を該用紙の規定幅に対する幅方向に開閉動作させ、瞬時に該用紙の位置を規制して再度用紙搬送することを特徴とする用紙搬送装置。
【請求項６】
請求項１から５のいずれかの用紙搬送装置において、用紙が前記用紙検知部位置を抜けて再度用紙搬送動作へ移行する際における該用紙の紙折れや紙詰りを防止するためのガイド板を有することを特徴とする用紙搬送装置。
【請求項７】
請求項１から６のいずれかの用紙搬送装置において、前記制御部は、先ず再度の用紙搬送開始の第１の所定時間前に前記可動部材を閉め、続いて再度の用紙搬送開始の第２の所定時間後に前記可動部材を開き、さらに第３の所定時間後に前記可動部材を閉めることを特徴とする用紙搬送装置。
【請求項８】
請求項７の用紙搬送装置において、前記第３の所定時間を、通紙方向の用紙の規定幅に応じて設定することを特徴とする用紙搬送装置。
【請求項９】
請求項１から８のいずれかの用紙搬送装置を用い、一方の面に画像が形成された用紙を再給紙し、該用紙の他方の面に画像を形成し得るようにすることを特徴とする自動両面給紙装置。
【請求項１０】
請求項１から８のいずれかの用紙搬送装置を用いたことを特徴とする画像形成装置。
【請求項１１】
請求項９の自動給紙装置を用いたことを特徴とする画像形成装置。
【発明の詳細な説明】
【技術分野】
【０００１】
本発明は、複写機等の画像形成装置において給紙装置、あるいは自動両面給紙装置として用いる装置に関する。
【背景技術】
【０００２】
従来、複写機等の画像形成装置で使用される自動両面給紙装置は、位置規制を行うジョガーフェンスを転写紙幅より十分な余裕分を持つ幅まで開き、転写紙停止後に転写紙幅分までジョガーフェンスを閉めるジョギング動作を行い、再給紙する方式が採られている。
【特許文献１】特開平９−０９６９２８号公報
【特許文献１】特許第０２５１３７９３号公報
【特許文献１】特開２００２−００３０４７号公報
【発明の開示】
【発明が解決しようとする課題】
【０００３】
しかしながら、上述のようなジョギング動作は、前記の余裕分の距離だけ動作ロス及び時間ロスを伴うので、ジョガーフェンスを転写紙幅より僅かな分だけ開き、再給紙すれば動作ロス及び時間ロスを低減できる。また、再給紙動作はスイッチバック動作が入るために時間ロスを伴うので、転写紙を瞬時に再給紙動作に移行することにより、転写紙の線速を落とさず、かつ時間のロスを無くすことができる。
【０００４】
本発明は、前記の点にかんがみ、ジョガーフェンスを閉めるジョギング動作の動作ロス及び再給紙動作移行の時間ロスを無くし、ＣＰＭを向上させる得る自動両面給紙装置のような用紙搬送装置とこれらを用いた画像形成装置を提供することを目的とする。
【課題を解決するための手段】
【０００５】
請求項１に係る本発明の用紙搬送装置は、用紙の幅方向に移動することにより、用紙の幅方向での位置決めを行う少なくとも一つの可動部材と、前記可動部材よりも用紙搬送方向で上流側において用紙を検知する用紙検知部と、前記用紙検知部の検知結果に基づき、前記可動部材を制御する制御部を備えたことを特徴とする。
【０００６】
請求項２に係る本発明の用紙搬送装置は、請求項１記載の用紙搬送装置において、前記制御部は、前記用紙検知部の検知結果が用紙無しから用紙有りに変化した場合、前記可動部材の移動を開始させることを特徴とする。
【０００７】
請求項３に係る本発明の用紙搬送装置は、請求項１または２の用紙搬送装置であって、前記制御部は、前記可動部材が用紙の規定幅に対する幅方向の移動で用紙の位置を規制し、該用紙が前記用紙検知部位置を抜けた瞬間に再度用紙搬送動作に移行する動作を行わせることを特徴とする。
【０００８】
請求項４に係る本発明の用紙搬送装置は、前記制御部は、前記可動部材が用紙の規定幅に対する幅方向の移動で用紙の位置を規制し、該用紙が前記用紙検知部位置を抜けた瞬間に再度用紙搬送動作に移行する動作を行わせることを特徴とする。
【０００９】
請求項５に係る本発明の用紙搬送装置は、請求項１から４のいずれかの用紙搬送装置において、前記制御部は、用紙が前記用紙検知部位置を抜けた瞬間に前記可動部材を該用紙の規定幅に対する幅方向に開閉動作させ、瞬時に該用紙の位置を規制して再度用紙搬送することを特徴とする。
【００１０】
請求項６に係る本発明の用紙搬送装置は、請求項１から５のいずれかの用紙搬送装置において、用紙が前記用紙検知部位置を抜けて再度用紙搬送動作へ移行する際における該用紙の紙折れや紙詰りを防止するためのガイド板を有することを特徴とする。
【００１１】
請求項７に係る本発明の用紙搬送装置は、請求項１から６のいずれかの用紙搬送装置において、前記制御部は、先ず再度の用紙搬送開始の第１の所定時間前に前記可動部材を閉め、続いて再度の用紙搬送開始の第２の所定時間後に前記可動部材を開き、さらに第３の所定時間後に前記可動部材を閉めることを特徴とする。
【００１２】
請求項８に係る本発明の用紙搬送装置は、請求項７の用紙搬送装置において、前記第３の所定時間を、通紙方向の用紙の規定幅に応じて設定することを特徴とする。
【００１３】
請求項９に係る本発明の自動両面給紙装置は、請求項１から８のいずれかの用紙搬送装置を用い、一方の面に画像が形成された用紙を再給紙し、該用紙の他方の面に画像を形成し得るようにすることを特徴とする。
【００１４】
請求項１０に係る本発明の画像形成装置は、請求項１から８のいずれかの用紙搬送装置を用いたことを特徴とする。
【００１５】
請求項１１に係る本発明の画像形成装置は、請求項９の自動給紙装置を用いたことを特徴とする。
【発明の効果】
【００１６】
本発明は、用紙の幅方向での位置決めを行う可動部材よりも用紙搬送方向上流側で用紙の有無を検知し、その結果に基づいて用紙搬送を制御するようにしたので、用紙を瞬時に再度の用紙搬送動作に移行させることにより、用紙の線速を落とさず、かつ時間ロスを無くすことができ、複写機等の画像形成装置においてはＣＰＭを向上させることが可能となる。
【発明を実施するための最良の形態】
【００１７】
以下本発明を実施するための最良の形態を、図に示す実施例を参照して説明する。
【実施例１】
【００１８】
本実施例の用紙搬送装置は、画像形成装置に用いた自動両面給紙装置である。図１に示すように、本実施例の自動両面給紙装置は、転写紙１０２を中間トレイ１０５上へ排紙する放出ローラ１０１、寄せコロ１０３、加圧板１０４、中間トレイ１０５、バックフェンス１０６、分離ベルト１０７、フィードローラ１０８、呼出しコロ１０９、転写紙１０２の幅方向を規制するジョガーフェンス１１０、搬送ローラ１１１を有している。
【００１９】
本実施例の用紙搬送装置は、図１に示すような画像形成装置に用い得る自動両面給紙装置であるが、図２に示すように、転写紙２を反転両面ユニットへ搬送する反転両面搬入ローラ１、反転たたきコロ３、逆転コロ４、反転両面排出ローラ５、分岐爪６、転写紙２の幅方向を規制する誘導コロ７を有するジョガーフェンス８、再給紙切り替えセンサ９、ガイド板１０、搬送ローラ１１によって構成される。
【００２０】
反転両面搬入ローラ１は、片面の画像形成処理が完了した転写紙２を反転両面ユニットへ搬送する回転ローラである。反転たたきコロ３は一方の先端部にゴム質の回転コロが設けられ、他方の先端部が軸受され、回転コロが軸受を中心に上下運動する。逆転コロ４は、反転両面排出ローラ５へ誘導するためのコロであり、反転両面排出ローラ５は、片面の画像形成が完了した転写紙２を、他方の面への画像形成のために、分岐爪６を介して所定の順序でフィードするためのローラである。
【００２１】
一対の誘導コロ７を有するジョガーフェンス８は、転写紙２の幅方向を規制するための機構部である。図３は誘導コロ７を有するジョガーフェンス８の平面的な配置関係および概念的な動作方向を示し、図示しない移動モータにより、転写紙２の幅より僅かに余分にジョギング動作を行う。
【００２２】
再給紙切り替えセンサ９は再給紙の切り替えを行うものであり、転写紙２が再給紙切り替えセンサ９による検出位置を抜けた瞬間に、誘導コロ７を有するジョガーフェンス８が僅かなジョギング動作を行い、次いで反転たたきコロ３をたたき再給紙動作に瞬時に移行する。
【００２３】
ガイド板１０は転写紙２が再給紙切り替えセンサ９の検出位置を抜けた瞬間に再給紙動作に移行する際、再給紙時の転写紙２先端が図４に示すように上向きの反りを持っていても、反転両面排出ローラ５へ進入する際に紙折れ又は紙詰りしないようにするためのガイドとして設けある。
【００２４】
搬送ローラ１１は、転写紙２を画像形成のために順次搬送するローラである。転写紙２は、搬送ローラ１１により新たな画像形成処理のために搬送される。
【００２５】
上記の各部により構成される本実施例の画像形成装置のおける動作手順例を図４に基づいて説明する。
反転両面搬入ローラ１から排紙された一方の表面へ画像形成済の転写紙２は、ジョガー部へ搬送される。転写紙２は、誘導コロ７を有するジョガーフェンス８により搬入され、再給紙切り替えセンサ９の位置を抜けた瞬間に再給紙動作に移行する。
【００２６】
先ず図３に示すように、スキュー防止のために転写紙２の規定幅より僅かな分だけジョギング動作をすることにより転写紙２の規定幅を揃える。次いで図４に示すように、一方の表面へ画像形成済の転写紙２は、反時計方向に回転する逆転コロ４により、反転部へガイド板１０を介して反転両面排出ローラ５へ搬送される。また、転写紙２が確実に再給紙切り替えセンサ９より下方に来るように転写紙２を下方に落とすために、誘導コロ７の形状をすり鉢形状にするとともに、瞬時に再給紙した時においても転写紙２を下方に落とすための役目を果たすようにしてある。
【００２７】
上述の動作タイミングを図５に基づいて説明する。図５に示す再給紙クラッチＯＮは、転写紙２の逆転コロ４と反転たたきコロ３とによる転写紙２の再給紙開始を意味する。また、ジョガーフェンス開閉は、規定幅より僅かな分の方向への移動（開）と、規定幅方向への移動（閉）とを示す。
【００２８】
再給紙動作タイミングは、再給紙切り替えセンサ９のＯＮとほぼ同時に誘導コロ７を有するジョガーフェンス８を閉め、閉めるとほぼ同時時間Ａ（ミリ秒）後に再給紙し、再給紙された転写紙２が反転両面排出ローラ５にくわえこまれる一定時間Ｂ（ミリ秒）後に誘導コロ７を有するジョガーフェンス８を開く。
【００２９】
また、再給紙された転写紙２が反転両面排出ローラ５にくわえこまれる一定時間Ｂ（ミリ秒）後に誘導コロ７を有するジョガーフェンス８を開いた後、誘導コロ７を有するジョガーフェンス８を閉める一定時間Ｃ（ミリ秒）のタイミングは、通紙方向の転写紙２の規定幅に応じて可変可能とする。
【００３０】
すなわち本発明では、誘導コロを有するジョガーフェンスによって転写紙幅より僅かな分だけ開くことにより、ジョギング動作を最小限に済ませることを可能とし、かつ再給紙の切り替えを示すためのセンサを有し、転写紙が前記センサを抜けた瞬間に再給紙動作に移行する制御を有することにより、転写紙の線速を落とさず且つ時間ロスを無くすことが可能となっている。すなわち、ジョギング動作を最小限に済ませ、転写紙が前記センサを抜けた瞬間に再給紙動作に移行する制御を行うことにより上述のような動作を可能にしている。したがって、転写紙を瞬時に再給紙動作に移行することにより、転写紙の線速を落とさず且つ時間ロスを無くすことができ、ＣＰＭを向上させることが可能となる。
【図面の簡単な説明】
【００３１】
【図１】本発明の実施例である自動両面給紙装置の一例の概念図
【図２】図１の装置の要部を拡大した概念的側面図
【図３】同概念的平面図
【図４】同概念的側面図
【図５】同動作のタイミング図
【符号の説明】
【００３２】
１：反転両面搬入ローラ
２：転写紙
３：反転たたきコロ
４：逆転コロ
５：反転両面排出ローラ
６：分岐爪
７：誘導コロ
８：ジョガーフェンス
９：再給紙切り替えセンサ
１０：ガイド板
１１：搬送ローラ
【図１】
2007161457.tif 000003
【図２】
2007161457.tif 000004
【図４】
2007161457.tif 000005
【図５】
2007161457.tif 000006
【図３】
2007161457.tif 000007